(57)【要約】      （修正有）【課題】本などを見開いた状態で見開き配置することが可能で、且つ本などを閉じた状態で束に寄せて立て掛け配置が可能な載置台や、梱包発送時におこる、梱包時の部材不足や発送時の傷付きなどのトラブルの発生を防止する載置台を提供する。【解決手段】載置台は、左右の側板と背板と中板と前板と底板の部材で構成される。側板には差込み溝と差込穴が設けられる。背板と前板には差込み溝が、中板と底板には差込み凸部が設けられる。各部材は、素材シートから打抜きにより切り込み形成されている。【選択図】図２
0003157580.tif 000002
【実用新案登録請求の範囲】
【請求項１】
本などを見開いた状態で見開き配置することが可能で、且つ本などを閉じた状態で束に寄せて立掛け配置することが可能な載置台であって、適宜位置に後側に傾斜した適宜角度で本などを見開いた状態で見開き配置する見開き用受け凹部と適宜位置に後側に傾斜した適宜角度で止め溝及び差込穴を設けた左右の側板と、この左右の側板に背板、中板、前板、底板を適宜な角度で後側に傾斜した状態で組みつけられていることを特徴とする載置台。
【請求項２】
請求項１記載の載置台において、前記見開き用受け凹部と前記底板との高さ位置に高低差が設けられていることを特徴とする請求項１記載の載置台。
【請求項３】
請求項１記載の載置台において、前記載置台の側板、底板、背板、中板、前板の各部材が素材シート内に切り込み形成されていることを特徴とする請求項１記載の載置台。
【考案の詳細な説明】
【技術分野】
【０００１】
本考案は本などを配置する載置台に関するものである。
【背景技術】
【０００２】
従来、本や宣伝媒体として展示されるチラシ、カタログ、パンフレットなどは、例えば、書店及び展示場、販売店などの店頭や展示コーナーで、本などを見開いた状態の見開き配置や閉じて束に寄せた状態の立掛け配置する個別の載置台が配備されている。
【考案の開示】
【考案が解決しようとする課題】
【０００３】
しかし、従来は本などを見開いた状態の見開き配置や閉じて束に寄せた状態の立掛け配置する別々の載置台であり、見開き配置と立掛け配置の両機能を備える載置台はなく、また載置台の側板、底板、背板、中板、前板の各部材は素材シートから打抜きにより切り込み形成されるが、従来は各部材を打抜いた周囲の屑からバラバラに分離して梱包発送する為におこっていた、梱包時の部材不足や発送時の傷付きなどのトラブルが発生していた。
【０００４】
本考案は、このような問題点を解消するためになされたもので、本など（８）を見開いた状態で見開き配置することが可能で、且つ本など（８）を閉じた状態で束に寄せて立て掛け配置が可能な載置台（１）であって、梱包発送時における部材不足や発送時の傷付きなどのトラブルの発生を防止する載置台（１）を提供することにある。
【課題を解決するための手段】
【０００５】
請求項１に係る本考案は、見開き用受け凹部（９）が設けられた左右の側板（２）中央部の上下方向に設けた差込穴（１１a）に中板（５）の差込み凸部（１２a）を差込み、次に左右の側板（２）中央部の前後方向に設けた差込穴（１１b）に底板（３）の差込み凸部（１２c）を差込み、次に左右の側板（２）の後ろの高い位置に設けた差込み溝（１０a）に背板（４）の差込み溝（１０ｂ）を差込み、次に左右の側板（２）の下部に設けた差込み溝（１０d）に前板（６）の差込み溝（１０ｃ）を差込むと左右の側板（２）に背板（４）、中板（５）、前板（６）、底板（３）が適宜の位置角度で後側に傾斜した状態で差込み組みつけられていることを特徴とする。
【０００６】
請求項２に係る本考案は、請求項１記載の載置台（１）において、前記左右の側板（２）の見開き用受け凹部（９）と前記底板（３）との高さ位置に高低差が設けられ、上記底板（３）の後側の中央部と側部の適宜位置に差込み凸部（１２b ，１２c）が形成され、前記背板（４）と上記側板（２）の差込穴（１１b ，１１c）に差込み固定することを特徴とする。
【０００７】
請求項３に係る本考案は、前記載置台（１）の側板（２）、底板（３）、背板（４）、中板（５）、前板（６）の各部材は素材を打抜きにより切り込み形成されるが、各部材の周囲の屑部分を残した素材シート（７）形状にすることで、従来の各部材を周囲の屑からバラバラに分離し梱包する為におこっていた、梱包時の部材不足や発送時の傷付きなどのトラブルの発生を防止することを特徴とする。
【考案の効果】
【０００８】
前側に本など（８）を見開いた状態で見開き配置し、後側に本など（８）を閉じた状態で束に寄せて立て掛け配置する一体形の載置台（１）であり、見開き配置と立て掛け配置を兼ね備えた展示が可能になり、且つ各部材を周囲の屑部分を残した素材シート（７）形状にすることで、梱包や発送時のトラブルが防止できる。
【考案を実施するための最良の形態】
【０００９】
以下、本考案を図面に示す実施例に基づいて説明する。
図１は本考案の載置台（１）の分解図であって
1、                     側板（２）は上部の前が低く後ろが高い卵形で、下部が直線の外観形状で、上部の前の低い位置に見開き本を架かり止めする、適宜の位置と角度で後側に傾斜した見開き用受け凹部（９）と、上部の後の高い位置に背板（４）を差し込む適宜の位置と角度で後側に傾斜した差込み溝（１０a）と、下部の前側に前板（６）を差し込む適宜の位置と角度で後側に傾斜した差込み溝（１０d）が設けられ、また側面に中板（５）を止める上下方向に適宜の位置と角度で後側に傾斜した差込穴（１１a）と、側面に底板（３）を止める前後方向に適宜の位置と角度で後側に傾斜した差込穴（１１b）とが設けられている。
2、                     背板（４）は四角形状で其々のコーナー部にはアールが設けられ、下部に差込み溝（１０b）と、後側中央部に差込穴（１１c）とが設けられている。
3、                     中板（５）は上部が凹形円弧状で側部と下部は直線の形状で、側部には差込み凸部（１２a）が設けられている。
4、                     前板（６）は上部と側部が円弧状で下部が直線の外観形状で、上部の適宜位置に差込み溝（１０c）が設けられている。
5、                     底板（３）は四角形状で後側と両側の中央に差込み凸部（１２b ，１２c）が設けられている。
以上の構成からなる載置台（１）である。
次に組み立て要領の説明をする。
【００１０】
最初に前記背板（４）の差込み溝（１０b）を前記左右の側板（２）の後ろの高い位置に設けた適宜の位置と角度で後側に傾斜した差込み溝（１０a）に差し込み仮固定する。
【００１１】
次に前記底板（３）の両側の差込み凸部（１２c）を左右の側板（２）の前後方向に適宜の位置と角度で後側に傾斜した差込穴（１１b）に差し込み固定すると共に底板（３）の後側の差込み凸部（１２b）を背板（４）の後側中央部に差込穴（１１c）に差し込み固定する。
【００１２】
次に前記中板（５）の両側の差込み凸部（１２a）を左右の側板（２）の上下方向に適宜の位置と角度で後側に傾斜した差込穴（１１a）に差し込み固定する。
【００１３】
次に前記前板（６）の差込み溝（１０c）を側板（２）下部の適宜の位置と角度で後側に傾斜した差込み溝（１０d）に差込むと、前板（６）は側板（２）に組みつけられる。
【００１４】
以上により、左右の側板（２）に背板（４）、中板（５）、前板（６）、底板（３）が適宜の位置と角度で後側に傾斜して差込み組みつけられ、前側に見開きの立て掛け部（１３）と後側に閉じた束の立て掛け部（１４）が構成された載置台（１）が組み立てられる。
【００１５】
図２は本考案請求項２の載置台（１）の斜視図であり、
この実施例では、前記側板（２）の見開き用受け凹部（９）は前側の低い位置に設けられ、前記底板（３）は後側の高い位置に設けられ、見開きの立て掛け部（１３）と束の立て立て掛け部（１４）が高低差をつけて形成される。
【００１６】
上記実施例により、本など（８）が前側の低い位置に見開き配置され、後側の高い位置に束に寄せて立て掛け配置することが可能となり、本など（８）の内容や外装がと同時に目視でき宣伝効果が上がる載置台（１）が提供できる。
【００１７】
なお、上記実施例は、本など（８）が前側の低い位置に配置され、後側の高い位置に束に寄せて立て掛け配置する形式の実施例であるが、前側の低い位置に束に寄せて立て掛け配置され、後側の高い位置に見開き配置する形式にも採用可能である。
【００１８】
載置台（１）は図１、図２ に示すように、側板（２）に設けられた後側に傾斜した差込み溝（１０a）に背板（４）の差込み溝（１０b）を差込み仮固定し、そして背板（４）下部の差込穴（１１c）に底板（３）中央部の差込み凸部（１２ｂ）を差込み固定すると、背板（４）の抜けを防止でき、且つ底板（３）の強度が補強され、垂れ下がりが防止される。
【００１９】
図３は前記周囲の屑部分を残した素材シート（７）形状の平面図であって、載置台（１）の側板（２）、底板（３）、背板（４）、中板（５）、前板（６）の各部材は素材シート（７）を打抜きにより切り込み形成されるが、各部材を周囲の屑部分を残した素材シート（７）形状にすることで、周囲の屑からバラバラに分離し梱包発送する為におこっていた、部材の不足や輸送時の傷付きなどのトラブルを防止することが出来る。
【００２０】
なお、前記載置台（１）の素材にはポリエチレンや発泡スチロールや段ボールなど軽く小さな形状を利用すれば、封書による発送も可能になる、また用途により適宜な素材を採用すればよい。
【００２１】
図４は本考案の本など（８）が配置された載置台の正面図である。
【００２２】
図５は本考案の本など（８）が配置された載置台の斜視図である。
【００２３】
図６は本考案の載置台の側面図である。
【図面の簡単な説明】
【００２４】
【図１】本考案の載置台の分解図
【図２】本考案の載置台の組み立て斜視図
【図３】本考案の周囲の屑部分を残した素材シート形状の平面図
【図４】本考案の本などが配置された載置台の正面図
【図５】本考案の本などが配置された載置台の斜視図
【図６】本考案の載置台の側面図
【符号の説明】
【００２５】
１.         載置台
２.         側板
３.         底板
４.         背板
５.         中板
６.         前板
７.         素材シート
８．              本など
９.         見開き用受け凹部
１０ａ．   差込み溝（側板の背板差込み溝）
１０b．    差込み溝（背板の側板差込み溝）
１０c.     差込み溝（前板の側板側板）
１０d．    差込み溝（側板の前板差込み溝）
１１ａ.    差込穴（側板の中板差込穴）
１１ｂ.    差込穴（側板の底板差込穴）
１１ｃ.    差込穴（背板の底板差込穴）
１２ａ．   差込み凸部（中板）
１２ｂ．   差込み凸部（底板の背板対応）
１２ｃ．   差込み凸部（底板の側板対応）
１３．     見開きの立て掛け部
１４．     束の立て立て掛け部
【図３】
0003157580.tif 000003
【図４】
0003157580.tif 000004
【図１】
0003157580.tif 000005
【図２】
0003157580.tif 000006
【図５】
0003157580.tif 000007
【図６】
0003157580.tif 000008
【手続補正書】
【提出日】平成21年12月10日(2009.12.10)
【手続補正１】
【補正対象書類名】実用新案登録請求の範囲
【補正対象項目名】請求項１
【補正方法】変更
【補正の内容】
【請求項１】
本などを店頭で展示する載置台であって、載置台は左右の側板と背板と中板と前板と底板の部材で構成され、左右の側板と背板と中板と前板と底板のそれぞれの部材の形状は、
（１）     
側板は上部の前が低く後ろが高い卵形で下部が直線の外観形状で、上部の前位置に後側に傾斜した見開き用受け凹部と、上部の後位置に背板を差し込む為の後側に傾斜した差込み溝と、下部の前位置に前板を差し込む為の後側に傾斜した差込み溝が設けられ、且つ側面に中板を止める為の上下方向で後側に傾斜した差込穴と側面に底板を止める為の前後方向で後側に傾斜した差込穴とが設けられて、
（２）     
背板は四角形で四方のコーナー部分はアールの外観形状で、下部の左右に差込み溝が設けられ、且つ後側中央部に差込穴が設けられて、
（３）     
中板は上部が凹形円弧状で側部と下部は直線の外観形状で、側部の左右に差込み凸部が設けられて、
（４）     
前板は上部と側部が円弧状で下部は直線の外観形状で、上部の左右に差込み溝が設けられて、
（５）     
底板は四角形状で後側と側部の左右に差込み凸部が設けられており、
以上の部材が組みつけられていることを特徴とする載置台。
【手続補正２】
【補正対象書類名】実用新案登録請求の範囲
【補正対象項目名】請求項３
【補正方法】変更
【補正の内容】
【請求項３】
請求項１記載の載置台において、側板、背板、中板、前板、底板の各部材は素材シートから打抜きにより切り込み形成されていることを特徴とする請求項１記載の載置台。